(57)【要約】【課題】  フランジ部幅を細くすることができ、浴室内側から固定用ビス等が見えることなく、意匠性良好に浴室壁パネルに収納棚を簡便に取付け固定する。【解決手段】  浴室壁パネル２の開口部に収納部１Ａとフランジ部１Ｂとを有する収納棚１の収納部１Ａを埋込み、フランジ部１Ｂにおいて弾性支持具６をもって取付け固定する際に、フランジ部１Ｂは、内側に折り返えされて端縁部が壁パネル２室内側面に当接する保持部１Ｄが形成されており、弾性支持具６は、一端部がこの保持部１Ｄに挿入保持されるとともに、他端部が折り曲げられて壁パネル２の裏側に弾発力αをもって係止されて収納棚が壁パネルに取付け可能とされる。【選択図】  図１
2006271427.tif 000002
【特許請求の範囲】
【請求項１】
浴室壁パネルの開口部に収納部とフランジ部とを有する収納棚の収納部を埋込み、フランジ部において弾性支持具をもって取付け固定する浴室壁パネルへの収納棚の取付け構造であって、フランジ部には、内側に折り返えされて端縁部が壁パネル室内側面に当接する保持部が形成されており、弾性支持具は、一端部がこの保持部に挿入保持されるとともに、他端部が折り曲げられて壁パネル裏側に弾発力をもって係止されて収納棚が壁パネルに取付け可能とされていることを特徴とする浴室壁パネルへの収納棚の取付け構造。
【請求項２】
弾性支持具は、一端部の環状部においてその変形をもって収納棚フランジ部の保持部に保持されることを特徴とする請求項１の収納棚の取付け構造。
【請求項３】
弾性支持具環状部の収納棚フランジ部の保持部への挿入前の大きさは、フランジ部保持部端縁と収納棚収納部との間の隙間幅より小さいことを特徴とする請求項２の収納棚の取付け構造。
【発明の詳細な説明】
【技術分野】
【０００１】
本願発明は、浴室壁パネルへの収納棚の取付け構造に関するものである。
【背景技術】
【０００２】
従来より、ユニットバス等の浴室において、その壁パネルの適当な位置に、石けんやシャンプーの容器類等を収納するための収納棚を設けたものが知られており、このような収納棚の配設の構造として、たとえば図８の断面図に示したように、石けんやシャンプーの容器等を収納する収納部１Ａとフランジ部１Ｂとを有する収納棚１を浴室ユニットの壁パネル２の開口部に埋込み、フランジ部１Ｂでビス３により壁パネル２に取付け固定するようにしたものがある（たとえば特許文献１参照）。
【０００３】
しかしながら、このような収納棚の取付け構造の場合には取付け用のビス３が浴室ユニットの室内側から見えてしまい、またビス３による取付け固定のためにフランジ部１Ｂの幅を狹くすることにも制約があり、意匠性の点で難点があった。
【０００４】
そこで、このような問題点を解決するための手段として、上記のようなビス３によるフランジ部１Ｂでの取付け固定に代えて、図９に要部断面として示したように、収納棚１の天井部裏面に一体成形や溶着等によって形成した支持具受け台４に弾性を有する支持具５を取付け固定するようにした構造も知られている。この図９の構造においては浴室ユニットの室内側からは上記の図８の場合のようにビス３が見えることもなく、フランジ部１Ｂの幅を細くすることが可能となる。
【０００５】
ただ、図９のような支持具受け台４と支持具５を用いての収納棚の取付け構造においては、収納部１Ａに支持具受け台４を一体成形できない場合や、溶着できない場合がある。たとえば金属製等の場合である。このような場合には、支持具５をビス固定するか、溶接することが必要になるが、大変に面倒な作業が必要とされ、しかも溶接跡等が収納部１Ａ内部から見えてしまい、意匠性が損われるという問題が生じることになる。
【特許文献１】実開平７−１８６９１号公報
【発明の開示】
【発明が解決しようとする課題】
【０００６】
本願発明は、上記のとおりの背景から、従来の問題点を解消し、フランジ部１Ｂ幅を細くすることができ、ユニット室内側から固定用ビス等が見えることなく、意匠性良好に簡便な作業で浴室壁パネルに収納棚を取付け固定することのできる、新しい取付け構造を提供することを課題としている。
【課題を解決するための手段】
【０００７】
本願発明の浴室壁パネルへの収納棚の取付け構造は、上記の課題を解決するものとして以下のことを特徴としている。
【０００８】
第１：浴室壁パネルの開口部に収納部とフランジ部とを有する収納棚の収納部を埋込み、フランジ部において弾性支持具をもって取付け固定する浴室壁パネルへの収納棚の取付け構造であって、フランジ部には、内側に折り返えされて端縁部が壁パネル室内側面に当接する保持部が形成されており、弾性支持具は、一端部がこの保持部に挿入保持されるとともに、他端部が折り曲げられて壁パネル裏側に弾発力をもって係止されて収納棚が壁パネルに取付け可能とされている。
【０００９】
第２：弾性支持具は、一端部の環状部においてその変形をもって収納棚フランジ部の保持部に保持される。
【００１０】
第３：弾性支持具環状部の収納棚フランジ部の保持部への挿入前の大きさは、フランジ部保持部端縁と収納棚収納部との間の隙間幅より小さい。
【発明の効果】
【００１１】
上記のとおりの本願第１の発明によれば、弾性支持具と収納棚フランジ部の保持部での取付けが可能であって、従来のようにフランジ部においてのビス固定を行うことなく、収納棚天井部裏面での支持具のビス固定や溶接等の必要もなく、また、フランジ部幅を細くすることもできることから、意匠性の高い取付けを簡便に行うことができる。
【００１２】
そして弾性支持具の一端部を環状とする第２の発明によれば、フランジ部保持部での支持具の保持が確実なものとなり、上記の効果とともに安定性の向上も実現されることになる。さらに第３の発明によれば、弾性支持具環状部の上記保持部への挿入を容易とすることができる。
【発明を実施するための最良の形態】
【００１３】
本願発明は上記のとおりの特徴をもつものであるが、以下にその実施の形態について説明する。
【００１４】
図１および図２は、各々、本願発明の実施の形態を収納棚１の天井部の要部断面として例示したものである。この各々の実施形態では、共通して、従来と同様に、浴室壁パネル２の開口部に収納部１Ａとフランジ部１Ｂとを有する収納棚１の収納部１を埋込むことで、収納棚１が浴室壁パネル２に取付け固定されている。そして、この取付け固定では、図１および図２のように、フランジ部１Ｂには、内側に折り返えされて端縁部が折り返し部１Ｃとして壁パネル２の室内側面に当接する保持部１Ｄが形成されており、弾性支持具６の一端部がこの保持部１Ｄに挿入保持されるとともに、他端部が折り曲げられて壁パネル２に弾発力をもって係止されて収納棚１が壁パネル２に取付けられている。
【００１５】
この構造においては、弾性支持具６の一端はフランジ部１Ｂの保持部１Ｄ内に保持されるとともに、他端は、図中に矢印αで示した方向の弾発力により壁パネル２の裏側にしっかりと係止される。なお、図１および図２においては、この係止は、壁パネル２裏側の開口部周縁に配置した補強材７に対してなされているが、これに限られることなく、壁パネル２に直接係止するようにしてもよい。また、弾性支持具６は、その係止のための形状、構造として、図１の実施形態のように弧状に折り返えされて弾発力が作用するようにしてもよいし、図２の実施形態のように折り曲げられて弾発力が作用するようにしてもよい。もちろん、さらに別の様々な形状、構造が考慮されてよい。そして、弾性支持具６としては、弾発力を作用可能とする金属製、あるいは樹脂製等とすることが考慮される。
【００１６】
図３は、図１の実施形態について、浴室壁パネル２への収納棚１取付けの全体的概観を、斜視断面図として例示したものである。収納棚１は、四周のフランジ部１Ｂの一部もしくは全体において、上記のような弾性支持具６の係止をもって取付けられることになる。弾性支持具６は、板状小片体として、あるいは線状体等として収納部１Ａの天井部１００、底部１０１、左右の側部１０２の適宜な位置で上記のとおりにフランジ部１Ｂの保持部１Ｄへの保持と壁パネル２への係止が行われてもよい。
【００１７】
収納棚１の取付け施工では、たとえばまず収納部１Ａの天井部１００を、弾性支持具６を装着した状態で挿入し、次いで、同様に弾性支持具６を装着した状態で、収納部１Ａの底部１０１、側部１０２を押し込むことで、収納棚１の壁パネル２への取付けが可能とされる。
【００１８】
図３からも明らかなように、取付けられた収納棚１においてはフランジ部１Ｂに従来のようにビス等が目視されるように露出しておらず、フランジ１Ｂの幅を細くすることもできる。このため意匠性の高い取付け構造とすることができる。
【００１９】
図４は、弾性支持具６についてさらに別の実施形態を例示したものである。この図４の場合には、弾性支持具６の一端は収納棚１の保持部１Ｄに保持されているとともに、他端は、折り曲げによって、弾発力が、図中矢印βのように、壁パネル２の裏側を押圧するように作用する。これによって壁パネル２の裏側に係止されることになる。
【００２０】
ただ、この図４の実施形態においては、弾性支持具６の壁パネル２裏面への係止のために上記のようにその他端を上方に折り曲げていることから、図１、図２の場合と同様にして収納棚１の四周のフランジ部１Ｂを浴室内から押し込むことで取付け施工することが難しい。このような場合には、収納棚１の上辺、すなわち収納部１Ａの天井部１００では図４の実施形態のような弾性支持具６を用い、図３のように、収納部１Ａの底部１０１や側部１０２では、図１あるいは図２の実施形態の弾性支持具６を組合わせて使用することが考慮される。また、さらには、図５の実施形態のように、天井部１００に図４に示した上方に折り曲げられた弾性支持具６を用い、底部１０１等では、フランジ部１Ｂの下端部や側端部においてビス３等によって固定し、浴室内からはビス３等を見えにくくすることも考慮される。図６は、このような場合の施工手順を経時的に例示したものである。図中矢印Ａで示したように、まず天井部１００を壁パネル２の開口部に挿入し、次いで底部を矢印Ｂのように押し込んで、下端部等をビス３で固定する。
【００２１】
本願発明の収納棚の取付け構造においては、その四周に同一の弾性支持具を用いる場合だけでなく、各種組合わせて用いてもよいし、図５、図６のように一部に弾性支持具でないものを用いてもよい。
【００２２】
そして、弾性支持具６を用いる本願発明の収納棚の取付け構造では、図１、図２、そして図４の実施形態のように、収納棚１のフランジ部１Ｂの折り返し部１Ｃにより形成される保持部１Ｄには、弾性支持具６の一端部が保持されるが、この保持は、例えば図７に示したように、一端部としての環状部６Ａが、保持部１Ｄに挿入されることによる変形をもって実現されるものとすることが好適に考慮される。この変形は、弾発力を有するものとして、確実な保持を可能とする。
【００２３】
また、この環状部６Ａについては、図７にも示したように、保持部１Ｄへの挿入前の大きさ（高さ）Ｈは、保持部１Ｄの端縁と収納部１Ａとの間の隙間幅Ｗよりも小さい（Ｗ＞Ｈ）ことが好ましく、これによって、保持部１Ｄ内への環状部６Ａの挿入による施工は容易となる。
【００２４】
もちろん以上の例示説明に限られることなく、本願発明の収納棚の取付構造はさらにその細部において様々な形態であってよいことは言うまでもない。
【図面の簡単な説明】
【００２５】
【図１】本願発明の一実施形態を例示した要部断面図である。
【図２】別の実施形態を例示した要部断面図である。
【図３】図１の実施形態について収納棚の取付けの全体概観を例示した斜視断面図である。
【図４】またさらに別の実施形態を例示した要部断面図である。
【図５】図４の実施形態について、収納棚下端部でのビス固定の構造を例示した断面図である。
【図６】図５の場合の施工手順を示した概要断面図である。
【図７】環状部を有する弾性支持具と収納棚保持部とについて示した概要断面図である。
【図８】従来の取付け構造を示した断面図である。
【図９】従来の別の取付け構造を示した断面図である。
【符号の説明】
【００２６】
１  収納棚
１Ａ  収納部
１Ｂ  フランジ部
１Ｃ  折り返し部
１Ｄ  保持部
２  壁パネル
３  ビス
４  支持具受け台
５  支持具
６  弾性支持具
６Ａ  環状部
７  補強材
１００  天井部
１０１  底部
１０２  側部
【図１】
2006271427.tif 000003
【図２】
2006271427.tif 000004
【図３】
2006271427.tif 000005
【図４】
2006271427.tif 000006
【図５】
2006271427.tif 000007
【図６】
2006271427.tif 000008
【図７】
2006271427.tif 000009
【図８】
2006271427.tif 000010
【図９】
2006271427.tif 000011